(57)【要約】【課題】遮熱性と採光性の両立を図るとともに、取り扱性を良好にする。【解決手段】遮熱が可能な機能性フラットヤーンをネット本体１２に備える。ネット本体１２は、モノフィラメント１４によりシート状に織編成されて構成され、表裏方向に通気性及び通水性を有する構成であり、機能性フラットヤーンを備える部位に、機能性フラットヤーンの表裏両面を露出する織り込み部１５を形成する。織り込み部１５は平行に複数、隙間部１６を介して配設する。機能性フラットヤーンとしては、全体に透光性を有する遮熱テープ１３を使用する。【選択図】図１
2020005576.tif 000002
【特許請求の範囲】
【請求項１】
遮熱が可能な機能性フラットヤーンを備えた遮熱ネットであって、
前記機能性フラットヤーンが、全体に透光性を有する遮熱テープで構成された
遮熱ネット。
【請求項２】
遮熱が可能な機能性フラットヤーンを備えた遮熱ネットであって、
前記機能性フラットヤーンが、モノフィラメントによりシート状に織編成されて構成され、表裏方向に通気性及び通水性を有するネット本体に備えられるとともに、
前記ネット本体における前記機能性フラットヤーンを備える部位が、前記機能性フラットヤーンの表裏両面を露出する織り込み部であり、
前記織り込み部が平行に複数配設され、
前記機能性フラットヤーンが、全体に透光性を有する遮熱テープで構成された
遮熱ネット。
【請求項３】
前記遮熱テープのみ、又は前記遮熱テープと透明のフラットヤーンで構成された
請求項１に記載の遮熱ネット。
【請求項４】
前記遮熱テープ同士、又は前記遮熱テープと前記フラットヤーンの交点が融着された
請求項３に記載の遮熱ネット。
【請求項５】
前記ネット本体が透光性を有するモノフィラメントで構成された
請求項２に記載の遮熱ネット。
【請求項６】
前記ネット本体がラッセル編又はからみ織で構成された
請求項５に記載の遮熱ネット。
【請求項７】
前記遮熱テープが、赤外線の透過を抑制するものである
請求項１から請求項６のうちいずれか一項に記載の遮熱ネット。
【請求項８】
前記遮熱テープが、可視光線を透過させて採光性を得るとともに、遮熱を行うものである
請求項１から請求項６のうちいずれか一項に記載の遮熱ネット。
【請求項９】
前記遮熱テープが、間隔をあけて配設された
請求項１から請求項８のうちいずれか一項に記載の遮熱ネット。
【発明の詳細な説明】
【技術分野】
【０００１】
この発明は、遮熱機能を有するネットであって、特に農作物の栽培において太陽光を採り込みながらも内部の温度上昇を抑制する遮熱ネットに関する。
【背景技術】
【０００２】
遮熱機能を有する農業用ネットとして、例えば下記特許文献１に開示されたものがある。この農業用ネットは、トンネルにしたときに農作物の上部と対応する被覆面にあたる遮光部分と、農作物の側部と対応する被覆面にあたる粗編み部分を有している。
【０００３】
農作物の上方に位置する遮光部分は、白色の遮光性ポリオレフィン系フィルムからなるフラットヤーンと、乳白色の透光性ポリオレフィン系フィルムからなるフラットヤーンが、雨水を滴下させない近さで交互に隣接して挿入されて構成されている。農作物の側部の下方に位置する粗編み部分は、害虫の侵入を防止し、かつ通気性に優れた目合いのネット状に編成されている。
【０００４】
この農業用ネットの遮熱性は、白色のフラットヤーンが太陽光を遮ることで得られる。乳白色のフラットヤーンが透光性を有しているものの、太陽光を遮る部分を有している以上、特許文献１の農業用ネットの採光性は、遮光部分を有しないものに比べて低い。
【０００５】
このため、徒長を招来したりして作物の生育に悪影響を与えてしまうおそれがあり、栽培環境の調整が面倒である。また、特許文献１の農業用ネットは、遮光部分と粗編み部分を有しており所定大のトンネル専用のものであって、たとえばハウスの外張りや内張りなどとしては使用できず汎用性が低い。
【０００６】
特許文献２には、農業用遮熱シートとして、特定のパール顔料を含有するプラスチック細巾テープを、タテ及び／又はヨコ糸に使用し、編織した構成のものが開示されている。
【０００７】
この遮熱シートは、パール顔料で太陽光を反射するものであって、遮光することで遮熱を行うことは特許文献１のものと同様である。
【０００８】
遮熱性と透光性はパール顔料の含有量で決まるので、細巾テープの材料の段階で含有量を適切に設定しなければならず、遮熱の程度の異なる遮熱シートを複数種類製造することは容易ではない。また、パール顔料を有する細巾テープがタテ糸やヨコ糸を構成するので、細巾テープ自体が引っ張りなどの荷重を受けることになる。このため、使用に際して部分的に伸びたり目ずれしたりするおそれがあり、強度の点で不十分さがあり、ハウスの外張りや内張りなどの使用には不適切である。
【０００９】
特許文献３には、遮熱性と採光性を兼ね備える遮熱ネットが開示されている。
【００１０】
この遮熱ネットは、フラットヤーンを縦横に交差させて経糸と緯糸の交差点を熱融着して形成した網目構造体を備え、この網目構造体の一方の面に金属膜を被覆し、他方の面を白色にした構成である。金属膜が太陽光を反射して遮熱を行い、白色が明るさを確保するというものである。
【００１１】
しかし、特許文献３の遮熱ネットも特許文献１、２のものと同様に、遮光することで遮熱をする構造であり、特許文献３の遮熱ネットでは、網目構造体の目が大きさを適切に設定しなければならない。つまり、目が大きいと遮光性が低くなって十分な遮熱効果が得られない。
【先行技術文献】
【特許文献】
【００１２】
【特許文献１】登録実用新案第３１８６５９０号公報
【特許文献２】特許第３２６８７３８号公報
【特許文献３】特開２０１５−５３９２６号公報
【発明の概要】
【発明が解決しようとする課題】
【００１３】
この発明は、遮熱性と採光性の両立を図ることが容易に行えるようにすることを主な目的とする。
【課題を解決するための手段】
【００１４】
そのための手段は、遮熱が可能な機能性フラットヤーンを備えた遮熱ネットであって、前記機能性フラットヤーンが、全体に透光性を有する遮熱テープで構成された遮熱ネットである。
【００１５】
この構成では、遮熱テープが全体に可視光線を通し、可視光線を遮る部分を皆無に、あるいは極力少なくして、遮熱しつつも採光性を確保する。遮熱ネットの遮熱率は、遮熱テープの数や配置、モノフィラメントやテープヤーンなどの他の材料との割合などによって設定され得る。
【発明の効果】
【００１６】
この発明によれば、遮熱テープが全体に透光性を有するものであるので、遮熱性と採光性の両立を図ることが容易に行える。また、遮熱テープの数や配置などによって遮熱率を変えることができるので、遮熱性能や態様の異なる多種類の遮熱ネットが容易に得られる。
【図面の簡単な説明】
【００１７】
【図１】遮熱ネットの表面図。
【図２】図１の遮熱ネットの一部拡大模式図。
【図３】作用状態を示す模式図。
【図４】他の例に係る遮熱ネットの表面図。
【図５】他の例に係る遮熱ネットの表面図。
【図６】他の例に係る遮熱ネットの一部拡大模式図。
【図７】他の例に係る遮熱ネットの一部拡大模式図。
【図８】他の例に係る遮熱ネットの一部拡大図。
【図９】他の例に係る遮熱ネットの一部拡大図。
【図１０】他の例に係る遮熱ネットの一部拡大図。
【図１１】他の例に係る遮熱ネットの一部拡大図。
【図１２】他の例に係る遮熱ネットの一部拡大図。
【図１３】他の例に係る遮熱ネットの一部拡大図。
【発明を実施するための形態】
【００１８】
この発明を実施するための一形態を、以下図面を用いて説明する。
【００１９】
図１に、遮熱ネット１１の表面図を示す。この図は遮熱ネット１１の一部を表しており、図面の上下左右が省略されている。遮熱ネット１１は適宜幅の長尺状に形成され、図面の上下方向に長い形態であり、必要な長さに切断して使用されるものである。
【００２０】
遮熱ネット１１は、ネット本体１２に対して、遮熱が可能な機能性フラットヤーンとしての遮熱テープ１３を備えて構成されている。
【００２１】
ネット本体１２は、モノフィラメント１４によりシート状に織編成されて構成され、表裏方向に通気性及び通水性を有している。つまりネット本体１２は、適宜の織組織や編組織を有し、表裏方向に貫通しており、引張等に対する所定の強度を単独で有している。換言すれば、遮熱テープ１３はネット本体１２に対して付属的に備えられ、ネット本体１２の強度には寄与しない。
【００２２】
遮熱テープ１３を備えるために、ネット本体１２は織り込み部１５を有している。織り込み部１５は、織組織や編組織の一部として構成され、遮熱テープ１３の表裏両面を露出する構造である。具体的には、ネット本体１２を構成するモノフィラメント１４が表裏に位置して断面ループ状、袋状またはポケット状に形成され、遮熱テープ１３が織り込まれる構造である。
【００２３】
このような織り込み部１５は、ネット本体１２の縦方向に延びる形状で、幅方向に沿って複数配設されている。図１に示した例では、平行に並ぶ織り込み部１５はネット本体１２の幅方向に、適宜の間隔をあけて１本ずつ形成されている。織り込み部１５同士の間は隙間部１６である。
【００２４】
図２は、図１の一部を模式的に表した拡大図であり、ネット本体１２はラッセル編で構成されており、縦方向に延びる鎖編み部１２ａ間に、この部分を断面ループ状にすべく横方向に延びる緯糸部１２ｂが形成されている。緯糸部１２ｂは遮熱テープ１３を表面側と裏面側から挟むように存在する。換言すれば、遮熱テープ１３は、織り込み部１５における緯糸部１２ｂを表裏に振り分けた状態で保持される。
【００２５】
ネット本体１２を構成するモノフィラメント１４は、全体が透光性を有する材料で構成されており、透明である。織り込み部１５には前述のように遮熱テープ１３を表面側あるいは裏面側から挟む緯糸部１２ｂが存在するが、緯糸部１２ｂを構成するモノフィラメント１４は透明であるので、遮熱テープ１３の全体が露出するのと同じ状態である。
【００２６】
遮熱テープ１３は、全体が透光性を有している。具体的には遮熱テープ１３は全体が透明であるものの、可視光線を透過させて採光性を得るとともに、遮光を行う機能を備えたものである。可視光線はできる限り最大限に透過して良好な採光性を得られるものが好ましい。このような遮熱テープ１３としては、太陽光のうち赤外線の透過を抑制するものを採用できる。より具体的には、遮熱テープ１３として、オカモト株式会社製の農業用フィルム「ＰＯクール」が好適に用いられる。つまり、そのフィルムを適宜幅のテープ状に裁断して、遮熱テープ１３として使用する。
【００２７】
遮熱テープ１３の幅は、適宜設定されるが、例えば５ｍｍ程度から１０ｍｍ程度の範囲内とするよとよい。幅が狭すぎたり広すぎたりすると取扱い性が悪く、特に狭すぎる場合には、遮熱テープ１３がねじれたりして所望の機能を発揮できないおそれが高くなるからである。
【００２８】
遮熱テープ１３は、ネット本体１２を織編成する際に形成される織り込み部１５に織り込まれる。
【００２９】
以上のように構成された遮熱ネット１１は、例えばハウスの外張り被覆資材やハウスの内張りカーテンなどとして使用され、図３に模式的に示したように、遮熱テープ１３を有する織り込み部１５において、太陽光の赤外線の透過を抑制する。これによって、植物Ｐが根を張っている地面Ｇが熱せられることによる気温上昇が抑制される。
【００３０】
ネット本体１２は、シート状に織編成されており、ネットとして強度を有し、遮熱テープ１３を保持する。ネット本体１２の織り込み部１５の遮熱テープ１３は、織り込み部１５間（遮熱テープ１３間）の隙間部１６と同様に、全体が可視光線を透過させる。ネット本体１２を構成するモノフィラメント１４は透明であるので、可視光線を遮る部分は皆無である。また遮熱ネット１１の全体において、表裏方向に通気性及び通水性を有する。特に織り込み部１５間（遮熱テープ１３間）の隙間部１６では、塞ぐものが何もないので、良好な通気性及び通水性、つまり空気や水分の流通性を有している。
【００３１】
ネット本体１２は、モノフィラメント１４からなるシート状であって、単独でネットとしての強度を発揮しつつ遮熱テープ１３を保持する。このため、取扱い性が良く、前述のようなハウスの外張りに使用して張力がかかっても十分に使用に耐え得るものとなる。編織物としての強度を有するために、遮熱テープ１３の素材となるフィルムをハウスの外張りに使用した場合に比べて使い勝手がよく、耐久性も得られる。強度や耐久性を得られるので、例えばトンネル栽培や工事現場の防護ネットなど、様々な用途に使用でき、汎用性が高い。
【００３２】
ネット本体１２に織り込まれた遮熱テープ１３は、全体が可視光線を通すうえに、ネット本体１２が透明のモノフィラメント１４からなるので、可視光線を遮るものはなく、良好な採光性を得られる。にもかかわらず、遮熱テープ１３は赤外線の透過を抑制して遮熱を図るので、採光性と遮熱性の両立を図れる。遮熱性を高めても採光性を犠牲にすることがないので、栽培環境の調整が容易である。
【００３３】
遮熱ネット１１は、ネット本体１２に遮熱テープ１３を備える構造であるので、遮熱ネット１１の遮熱率は、遮熱テープ１３の数や幅、配置などによって設定され得る。このため、遮熱性能の異なる遮熱ネット１１を得ることや、例えば遮熱ネット１１の幅方向で遮熱性の異なる部位を設けるなど遮熱態様の遮熱ネット１１を得ることなど、多種類の遮熱ネット１１を容易に得ることができる。
【００３４】
遮熱性能の異なる遮熱ネット１１の例を、遮熱ネット１１の表面図である図４、図５に示す。図４に示した遮熱ネット１１は、織り込み部１５を２本ずつ、間隔をあけて配設した例である。つまり、遮熱テープ１３が２本ずつ間隔をあけて並べており、遮熱テープ１３の性能が同一だとすると、図１の遮熱ネット１１よりも遮熱性が高い。図５に示した遮熱ネット１１は、織り込み部１５を、間隔をあけずに配設した例である。つまり、遮熱テープ１３が近接して配設されており、図４の遮熱ネット１１よりも遮熱性が高い。遮熱性は高くとも、ネット本体１２が通気性及び通水性を有するので、空気や水分の流通を確保できる。
【００３５】
遮熱ネット１１のネット本体１２は、前述のようにラッセル編で構成されているので、目ずれもなく、必要長さに切断したときでもほつれにくく取扱い性が良い。ネット本体１２は、ラッセル編のほか、例えば図６、７に示したような、織り方で構成することもできる。
【００３６】
図６は、からみ織で構成した例である。つまり、経糸１２ｃからなる経糸群１２ｄ同士の間に織り込み部１５が形成されており、遮熱テープ１３は経糸１２ｃに沿って緯糸１２ｅに織り込まれている。この組織では、目ずれがなく、形状安定性が良好であるので、所定の遮熱率を安定して得られる。
【００３７】
図７は、平織で構成した例である。つまり、経糸１２ｃと緯糸１２ｅかなる組織において、適宜幅にわたって経糸１２ｃを織り込まない部位を備えて、この部位を織り込み部１５として遮熱テープ１３を織り込んだ構成である。
【００３８】
これらに示したように、織り込み部１５は適宜の組織で構成される。
また、遮熱ネット１１は、前述のようなネット本体１２を省略して構成することができる。
つまり、図８〜図１３に例示したように、前述した遮熱テープ１３のみ、又は前述した遮熱テープ１３と透明のフラットヤーン１７（以下、「透明フラットヤーン」という）で構成してもよい。この場合には、遮熱テープ１３や透明フラットヤーン１７を経糸１８や緯糸１９として織成するとよく、さらには、遮熱テープ１３同士、又は遮熱テープ１３と透明フラットヤーン１７の交点、つまり経糸１８と緯糸１９の交点が融着により一体化されるとよい。
遮熱テープ１３のみ、又は遮熱テープ１３と透明のフラットヤーン１７で構成されているので、図８〜図１３に例示した遮熱ネット１１は、軽量であって、使用しやすい。
図８〜図１３においては、全体が透光性を有する遮熱テープ１３と、全体が透明の透明フラットヤーン１７を区別するため、遮熱テープ１３の方に薄い色を付して表している。またこれらの図は遮熱ネット１１の一部を表しており、図面の上下左右が省略されている。
図８に示した遮熱ネット１１は、経糸１８に遮熱テープ１３と透明フラットヤーン１７を用い、緯糸１９のほとんどに透明フラットヤーン１７を用いた例である。経糸１８をなす遮熱テープ１３のうち一部の遮熱テープ１３ａは、他の遮熱テープ１３ｂよりも幅広である。緯糸１９の一部には、遮熱テープ１３を織り込んでいる。緯糸１９はすべて同一幅である。また、経糸１８と緯糸１９がなす目合いはすべて同じである。
図９に示した遮熱ネット１１は、図８の遮熱ネット１１とは異なり、経糸１８を構成する幅広の遮熱テープ１３ａを一定の間隔で複数備えている。また緯糸１９は、すべて透明フラットヤーン１７で構成されている。
幅広の遮熱テープ１３ａが図８の遮熱ネット１１よりも多くなるので、遮熱テープ１３の性能が同一とした場合、図９に示した遮熱ネット１１は、図８の遮熱ネット１１よりも遮熱率が高まる。
図１０に示した遮熱ネット１１は、図９の遮熱ネット１１とは異なり、緯糸１９に透明フラットヤーン１７のほかに、遮熱テープ１３を用いている。遮熱テープ１３は、１本の透明フラットヤーン１７を挟んで２本ずつ備えている。緯糸１９を構成する遮熱テープ１３と透明フラットヤーン１７の太さは同一であり、形成される目合いもすべて同じである。
このように図１０の遮熱ネット１１は緯糸１９にも遮熱テープ１３を有しており、遮熱テープ１３の割合が図９の遮熱ネット１１よりも多いので、遮熱テープ１３の性能が同一とした場合、図９の遮熱ネット１１よりも遮熱率が高まる。
図１１に示した遮熱ネット１１は、図１０の遮熱ネット１１と比較して、経糸１８を構成する幅広の遮熱テープ１３ａの間隔を狭めている。また、幅広の遮熱テープ１３ａの片側に、それよりも幅狭の遮熱テープ１３ｂを接して織り込んでいる点でも、図１０の遮熱ネット１１とは相違する。さらに、幅広の遮熱テープ１３ａの間に位置するすべての経糸１８は遮熱テープ１３，１３ｂであるとともに、これら幅広の遮熱テープ１３ａと幅狭の遮熱テープ１３ｂの間隔に違いを付けて、間隔を段階的に変化させている。
このような図１１の遮熱ネット１１は、図１０の遮熱ネット１１と比べて、幅広の遮熱テープ１３ａの間隔が狭いので、遮熱率が高まる。また、目合いに変化を付けて他の目よりも大きな目を備えているので、通気性や通水性がより良好な部分を設けることができる。
図１２に示した遮熱ネット１１は、図１１の遮熱ネット１１と同様の構成である。ただし、緯糸１９はすべて透明フラットヤーン１７で構成している。
図１３に示した遮熱ネット１１は、すべての経糸１８とすべて緯糸１９を遮熱テープ１３で構成している。
このように遮熱テープ１３のみで構成すると、遮熱率を極力高められる。
【符号の説明】
【００３９】
１１…遮熱ネット
１２…ネット本体
１３…遮熱テープ
１４…モノフィラメント
１５…織り込み部
１６…隙間部
１７…透明のフラットヤーン
【図１】
2020005576.tif 000003
【図２】
2020005576.tif 000004
【図３】
2020005576.tif 000005
【図４】
2020005576.tif 000006
【図５】
2020005576.tif 000007
【図６】
2020005576.tif 000008
【図７】
2020005576.tif 000009
【図８】
2020005576.tif 000010
【図９】
2020005576.tif 000011
【図１０】
2020005576.tif 000012
【図１１】
2020005576.tif 000013
【図１２】
2020005576.tif 000014
【図１３】
2020005576.tif 000015